【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
左観察瞳において観察者によって観察される左イメージおよび右観察瞳において前記観察者によって観察される右イメージを包含する立体仮想イメージを観察する自動立体光学装置であって、
（ａ）左曲面中間イメージを形成する左イメージ生成システムであって、
（ｉ）左ミラー曲率中心を有する左曲面ミラーと、
（ｉｉ）前記左曲面ミラーの頂点と前記左ミラー曲率中心の間に配置される左ビームスプリッタと、
（ｉｉｉ）前記左曲面ミラーに対して光を提供する左イメージ・ソースであって、前記左曲面ミラーが前記左ビームスプリッタと協働した際には、当該左イメージ・ソースの左中間イメージが形成され、この左中間イメージが左イメージ曲率中心を有するような左イメージ・ソースと、
（ｉｖ）前記左イメージ曲率中心周囲に中心決めされ、前記左イメージ・ソースの前記左中間イメージから前記左曲面中間イメージを形成する左ボール・レンズ・セグメントと、
を有する左イメージ生成システムと、
（ｂ）右曲面中間イメージを形成する右イメージ生成システムであって、
（ｉ）右ミラー曲率中心を有する右曲面ミラーと、
（ｉｉ）前記右曲面ミラーの頂点と前記右ミラー曲率中心の間に配置される右ビームスプリッタと、
（ｉｉｉ）前記右曲面ミラーに対して光を提供する右イメージ・ソースであって、前記右曲面ミラーが前記右ビームスプリッタと協働した際には当該右イメージ・ソースの右中間イメージが形成され、この右中間イメージが右イメージ曲率中心を有するような右イメージ・ソースと、
（ｉｖ）前記右イメージ曲率中心周囲に中心決めされ、前記右イメージ・ソースの前記右中間イメージから前記右曲面中間イメージを形成する右ボール・レンズ・セグメントと、
を有する右イメージ生成システムと、
（ｃ）焦点表面を有し、かつ曲率中心を有するボール・レンズ・イメージング曲面ミラーであって、前記曲率中心が前記左ボール・レンズ・セグメントと前記右ボール・レンズ・セグメントの間の実質的に光学的な中間になるべく配置され、前記左イメージ生成システムからの前記左曲面中間イメージおよび前記右イメージ生成システムからの前記右曲面中間イメージが実質的に前記焦点表面上にあるボール・レンズ・イメージング曲面ミラーと、
（ｄ）前記ボール・レンズ・イメージング曲面ミラーの前記焦点表面と前記曲率中心の間に配置される第３のビームスプリッタと、
を包含する自動立体光学装置であって、
前記ボール・レンズ・イメージング曲面ミラーおよび前記第３のビームスプリッタが協働して前記左観察瞳に、
（ｉ）前記左ボール・レンズ・セグメントの実イメージと、
（ｉｉ）前記左曲面中間イメージの仮想イメージと、
を形成し、
前記ボール・レンズ・イメージング曲面ミラーおよび前記第３のビームスプリッタがさらに協働して前記右観察瞳に、
（ｉ）前記右ボール・レンズ・セグメントの実イメージと、
（ｉｉ）前記右曲面中間イメージの仮想イメージと、
を形成する自動立体光学装置。
【請求項２】
さらに、前記左曲面ミラーの曲率中心の近傍に配置される左補正エレメントを包含する、請求項１に記載の自動立体光学装置。
【請求項３】
前記左補正エレメントは、非球面表面を包含する請求項２に記載の自動立体光学装置。
【手続補正２】
【補正対象書類名】明細書
【補正対象項目名】００６３
【補正方法】変更
【補正の内容】
【００６３】
以上のとおり、改良された輝度、瞳サイズ、および解像度を有する自動立体イメージ・ディスプレイのための装置および方法が提供される。なお、本実施形態には以下に付記して示す発明が含まれる。
［付記］
１．  左観察瞳において観察者によって観察される左イメージおよび右観察瞳において前記観察者によって観察される右イメージを包含する立体仮想イメージを観察する自動立体光学装置であって、
（ａ）左曲面中間イメージを形成する左イメージ生成システムであって、
（ｉ）左ミラー曲率中心を有する左曲面ミラーと、
（ｉｉ）前記左曲面ミラーの頂点と前記左ミラー曲率中心の間に配置される左ビームスプリッタと、
（ｉｉｉ）前記左曲面ミラーに対して光を提供する左イメージ・ソースであって、前記左曲面ミラーが前記左ビームスプリッタと協働した際には、当該左イメージ・ソースの左中間イメージが形成され、この左中間イメージが左イメージ曲率中心を有するような左イメージ・ソースと、
（ｉｖ）前記左イメージ曲率中心周囲に中心決めされ、前記左イメージ・ソースの前記左中間イメージから前記左曲面中間イメージを形成する左ボール・レンズ・セグメントと、
を有する左イメージ生成システムと、
（ｂ）右曲面中間イメージを形成する右イメージ生成システムであって、
（ｉ）右ミラー曲率中心を有する右曲面ミラーと、
（ｉｉ）前記右曲面ミラーの頂点と前記右ミラー曲率中心の間に配置される右ビームスプリッタと、
（ｉｉｉ）前記右曲面ミラーに対して光を提供する右イメージ・ソースであって、前記右曲面ミラーが前記右ビームスプリッタと協働した際には当該右イメージ・ソースの右中間イメージが形成され、この右中間イメージが右イメージ曲率中心を有するような右イメージ・ソースと、
（ｉｖ）前記右イメージ曲率中心周囲に中心決めされ、前記右イメージ・ソースの前記右中間イメージから前記右曲面中間イメージを形成する右ボール・レンズ・セグメントと、
を有する右イメージ生成システムと、
（ｃ）焦点表面を有し、かつ曲率中心を有するボール・レンズ・イメージング曲面ミラーであって、前記曲率中心が前記左ボール・レンズ・セグメントと前記右ボール・レンズ・セグメントの間の実質的に光学的な中間になるべく配置され、前記左イメージ生成システムからの前記左曲面中間イメージおよび前記右イメージ生成システムからの前記右曲面中間イメージが実質的に前記焦点表面上にあるボール・レンズ・イメージング曲面ミラーと、
（ｄ）前記ボール・レンズ・イメージング曲面ミラーの前記焦点表面と前記曲率中心の間に配置される第３のビームスプリッタと、
を包含する自動立体光学装置であって、
前記ボール・レンズ・イメージング曲面ミラーおよび前記第３のビームスプリッタが協働して前記左観察瞳に、
（ｉ）前記左ボール・レンズ・セグメントの実イメージと、
（ｉｉ）前記左曲面中間イメージの仮想イメージと、
を形成し、
前記ボール・レンズ・イメージング曲面ミラーおよび前記第３のビームスプリッタがさらに協働して前記右観察瞳に、
（ｉ）前記右ボール・レンズ・セグメントの実イメージと、
（ｉｉ）前記右曲面中間イメージの仮想イメージと、
を形成する自動立体光学装置。
２．  さらに、前記左曲面ミラーの曲率中心の近傍に配置される左補正エレメントを包含する、１に記載の自動立体光学装置。
３．  前記左補正エレメントは、非球面表面を包含する２に記載の自動立体光学装置。
４．  前記左補正エレメントは、複合レンズを包含する２に記載の自動立体光学装置。
５．  前記左ビームスプリッタは、断面がくさび形状である、１に記載の自動立体光学装置。
６．  前記左ビームスプリッタは、ペリクルである、１に記載の自動立体光学装置。
７．  前記左イメージ・ソースは、ＣＲＴ、放射アレイ、ＬＣＤディスプレイ、およびＯＬＥＤからなるグループから採用される、１に記載の自動立体光学装置。
８．  さらに、前記左ミラー曲率中心と前記左曲面ミラーの焦点の間に、前記左ミラー曲率中心を前記左イメージ曲率中心に向けてイメージングするための視野レンズを包含する、１に記載の自動立体光学装置。
９．  前記視野レンズの表面は、前記左ミラー曲率中心と実質的に同心である、８に記載の自動立体光学装置。
１０．前記視野レンズの表面は、前記左イメージ曲率中心と実質的に同心である、８に記載の自動立体光学装置。
１１．さらに、光を前記左ミラー曲率中心に向けて指向するための前記左イメージ・ソースに隣接する焦点光学エレメントを包含する、１に記載の自動立体光学装置。
１２．前記焦点光学エレメントは、フレネル・レンズ、ホログラフ光学エレメント、回折光学エレメント、およびレンズからなるグループから採用される、１１に記載の自動立体光学装置。
１３．前記左ボール・レンズ・セグメントは、反射表面を伴う半球レンズを包含する、１に記載の自動立体光学装置。
１４．前記左ボール・レンズ・セグメントは、少なくとも１つのメニスカス・レンズ・セグメントを包含する、１に記載の自動立体光学装置。
１５．左観察瞳において観察者によって観察される左イメージおよび右観察瞳において前記観察者によって観察される右イメージを包含する立体仮想イメージを観察する自動立体光学装置であって、
（ａ）左イメージ生成システムおよび右イメージ生成システムであって、各イメージ生成システムが、
（ｉ）ミラー曲率中心を有するイメージ生成曲面ミラーと、
（ｉｉ）前記イメージ生成曲面ミラーの頂点と前記ミラー曲率中心の間に配置されるイメージ生成ビームスプリッタと、
（ｉｉｉ）前記イメージ生成曲面ミラーに向けてイメージ担持光を指向するためのイメージ・ソースと、
（ｉｖ）前記イメージ生成曲面ミラーが前記イメージ生成ビームスプリッタと協働することで形成されるイメージ・シースの中間イメージの近くに配置され、前記ミラー曲率中心を前記イメージ曲率中心に向けてイメージングするための視野レンズと、
（ｖ）中間イメージのイメージ曲率中心周囲に中心決めされ、前記中間イメージから曲面イメージを形成するボール・レンズ・セグメントと、
を包含するイメージ生成システムであって、前記左イメージ生成が左曲面イメージを生成し、前記右イメージ生成システムが右イメージを生成するイメージ生成システムと、
（ｂ）焦点表面を有し、瞳イメージング曲率中心を有する瞳イメージング曲面ミラーであって、瞳イメージング曲率中心が前記左イメージ生成システム用の前記ボール・レンズ・セグメントと前記右イメージ生成システム用の前記ボール・レンズ・セグメントとの間の実質的に光学的な中間に配置される瞳イメージング曲面ミラーと、
（ｃ）前記焦点表面と前記瞳イメージ曲率中心の間に配置される第３のビームスプリッタであって、前記瞳イメージング球面ミラーと協働して前記左観察瞳に前記左イメージ生成システム用の前記ボール・レンズ・セグメントの実イメージを形成し、かつ前記右観察瞳に前記右イメージ生成システム用の前記ボール・レンズ・セグメントの実イメージを形成する第３のビームスプリッタと、
を包含する自動立体光学装置。
１６．前記左または前記右イメージ生成システムの少なくとも一方は、さらに前記イメージ生成曲面ミラーの曲率中心の近傍に配置される補正エレメントを包含する、１５に記載の自動立体光学装置。
１７．前記補正エレメントは、非球面表面を包含する、１６に記載の自動立体光学装置。
１８．前記補正エレメントは、複合レンズを包含する、１６に記載の自動立体光学装置。
１９．前記イメージ生成ビームスプリッタは、断面がくさび形状である、１５に記載の自動立体光学装置。
２０．前記イメージ生成ビームスプリッタは、ペリクルである、１５に記載の自動立体光学装置。
２１．前記イメージ・ソースは、ＣＲＴ、放射アレイ、ＬＣＤディスプレイ、およびＯＬＥＤからなるグループから採用される、１５に記載の自動立体光学装置。
２２．前記視野レンズの表面は、前記ミラー曲率中心と実質的に同心である、１５に記載の自動立体光学装置。
２３．前記視野レンズの表面は、前記ミラー曲率中心と実質的に同心である、１５に記載の自動立体光学装置。
２４．さらに、光を前記ミラー曲率中心に向けて指向するための前記イメージ・ソースに隣接する焦点光学エレメントを包含する、１５に記載の自動立体光学装置。
２５．前記焦点光学エレメントは、フレネル・レンズ、ホログラフ光学エレメント、回折光学エレメント、およびレンズからなるグループから採用される、２４に記載の自動立体光学装置。
２６．前記ボール・レンズ・セグメントは、反射表面を伴う半球レンズを包含する、１５に記載の自動立体光学装置。
２７．前記ボール・レンズ・セグメントは、少なくとも１つのメニスカス・レンズ・セグメントを包含する、１５に記載の自動立体光学装置。
２８．左観察瞳において観察者によって観察される左イメージおよび右観察瞳において前記観察者によって観察される右イメージを包含する立体仮想イメージを観察するための自動立体光学装置であって、
（ａ）左イメージ生成システムおよび右イメージ生成システムであって、各イメージ生成システムが、
（ｉ）ミラー曲率中心を有するイメージ生成曲面ミラーと、
（ｉｉ）前記イメージ生成曲面ミラーの頂点と前記ミラー曲率中心の間に配置されるイメージ生成ビームスプリッタと、
（ｉｉｉ）前記イメージ生成曲面ミラーに向けてイメージ担持光を指向するためのイメージ・ソースと、
（ｉｖ）前記イメージ生成曲面ミラーと前記イメージ生成ビームスプリッタとが協働して形成される前記イメージ・ソースの中間イメージのイメージ曲率中心の周囲に中心決めされ、前記中間イメージから曲面イメージを形成するためのボール・レンズ・セグメントと、
を包含するイメージ生成システムであって、前記左イメージ生成が左曲面イメージを生成し、前記右イメージ生成システムが右イメージを生成するイメージ生成システムと、
（ｂ）焦点表面を有し、瞳イメージング曲率中心を有する瞳イメージング曲面ミラーであって、瞳イメージング曲率中心が前記左イメージ生成システム用の前記ボール・レンズ・セグメントと前記右イメージ生成システム用の前記ボール・レンズ・セグメントとの間の実質的に光学的な中間に配置される瞳イメージング曲面ミラーと、
（ｃ）前記焦点表面と前記瞳イメージ曲率中心の間に配置される第３のビームスプリッタであって、前記瞳イメージング球面ミラーと協働して前記左観察瞳に前記左イメージ生成システム用の前記ボール・レンズ・セグメントの実イメージを形成し、かつ前記右観察瞳に前記右イメージ生成システム用の前記ボール・レンズ・セグメントの実イメージを形成する第３のビームスプリッタと、
を包含する自動立体光学装置。
２９．前記左イメージ生成システムおよび前記右イメージ生成システムの少なくとも一方は、さらに前記イメージ生成ビームスプリッタおよび前記イメージ生成曲面ミラーによって形成される前記中間イメージの近くに配置され、前記ミラー曲率中心を前記イメージ曲率中心に向けてイメージングする視野レンズを包含する、２８に記載の自動立体光学装置。
３０．前記左または前記右イメージ生成システムの少なくとも一方は、さらに前記イメージ生成曲面ミラーの曲率中心の近傍に配置される補正エレメントを包含する、２８に記載の自動立体光学装置。
３１．前記補正エレメントは、非球面表面を包含する、３０に記載の自動立体光学装置。
３２．前記補正エレメントは、複合レンズを包含する、３０に記載の自動立体光学装置。
３３．前記イメージ生成ビームスプリッタは、断面がくさび形状である、２８に記載の自動立体光学装置。
３４．前記イメージ生成ビームスプリッタは、ペリクルである、２８に記載の自動立体光学装置。
３５．前記イメージ・ソースは、ＣＲＴ、放射アレイ、ＬＣＤディスプレイ、およびＯＬＥＤからなるグループから採用される、２８に記載の自動立体光学装置。
３６．前記視野レンズの表面は、前記ミラー曲率中心と実質的に同心である、２９に記載の自動立体光学装置。
３７．前記視野レンズの表面は、前記ミラー曲率中心と実質的に同心である、２９に記載の自動立体光学装置。
３８．さらに、光を前記ミラー曲率中心に向けて指向するための前記イメージ・ソースに隣接する焦点光学エレメントを包含する、２８に記載の自動立体光学装置。
３９．前記焦点光学エレメントは、フレネル・レンズ、ホログラフ光学エレメント、回折光学エレメント、およびレンズからなるグループから採用される、３８に記載の自動立体光学装置。
４０．前記ボール・レンズ・セグメントは、反射表面を伴う半球レンズを包含する、２８項に記載の自動立体光学装置。
４１．前記ボール・レンズ・セグメントは、少なくとも１つのメニスカス・レンズ・セグメントを包含する、２８に記載の自動立体光学装置。
４２．左観察瞳において観察者によって観察される左イメージおよび右観察瞳において前記観察者によって観察される右イメージを包含する立体仮想イメージを観察する自動立体光学装置であって、
（ａ）左曲面中間イメージを形成する左イメージ生成システムであって、
（ｉ）左ミラー曲率中心を有する左曲面ミラーと、
（ｉｉ）前記左曲面ミラーの頂点と前記左ミラー曲率中心の間に配置される左ビームスプリッタと、
（ｉｉｉ）前記左曲面ミラーに対して前記左イメージからの光を提供するための左イメージ・ソースであって、前記左曲面ミラーが前記左ビームスプリッタと協働することにより当該左イメージ・ソースの左中間イメージが形成されるような左イメージ・ソースと、
（ｉｖ）左中間イメージの左イメージ曲率中心周囲に中心決めされ、前記左イメージ・ソースの前記左中間イメージから前記左曲面中間イメージを形成する左ボール・レンズ・セグメントと、
を包含する左イメージ生成システムと、
（ｂ）右曲面中間イメージを形成する右イメージ生成システムであって、
（ｉ）右ミラー曲率中心を有する右曲面ミラーと
（ｉｉ）前記右曲面ミラーの頂点と前記右ミラー曲率中心の間に配置される右ビームスプリッタと、
（ｉｉｉ）前記右曲面ミラーに対して前記右イメージからの光を提供するための右イメージ・ソースであって、前記右曲面ミラーが前記右ビームスプリッタと協働することにより当該右イメージ・ソースの右中間イメージを形成する右イメージ・ソースと、
（ｉｖ）右中間イメージの右イメージ曲率中心周囲に中心決めされる、前記右イメージ・ソースの前記右中間イメージから前記右曲面中間イメージを形成する右ボール・レンズ・セグメントと、
を包含する右イメージ生成システムと、
（ｃ）左焦点表面を有し、左ボール・レンズ・イメージング曲率中心を有する左ボール・レンズ・イメージング曲面ミラーであって、前記左イメージ生成システムからの前記左曲面中間イメージが実質的に前記左焦点表面上になるべく位置決めされる左ボール・レンズ・イメージング曲面ミラーと、
（ｄ）右焦点表面を有し、かつ右ボール・レンズ・イメージング曲率中心を有する右ボール・レンズ・イメージング曲面ミラーであって、前記右イメージ生成システムからの前記右曲面中間イメージが実質的に前記右焦点表面上になるべく位置決めされる右ボール・レンズ・イメージング曲面ミラーと、
（ｅ）前記左焦点表面と前記左ボール・レンズ曲率中心の間、かつ、前記右焦点表面と前記右ボール・レンズ曲率中心の間の光路に沿った位置に配置される第３のビームスプリッタと、
を包含し、
前記第３のビームスプリッタが、前記左ボール・レンズ・イメージング曲面ミラーと協働して前記左観察瞳に、
（ｉ）前記左ボール・レンズ・セグメントの実イメージと、
（ｉｉ）前記左曲面中間イメージの仮想イメージと、
を形成し、
前記第３のビームスプリッタがさらに前記右ボール・レンズ・イメージング曲面ミラーと協働して、前記右観察瞳に、
（ｉ）前記右ボール・レンズ・セグメントの実イメージと、
（ｉｉ）前記右曲面中間イメージの仮想イメージと、
を形成する自動立体光学装置。
４３．さらに、前記左曲面ミラーの曲率中心の近傍に配置される左補正エレメントを包含する、４２に記載の自動立体光学装置。
４４．前記左補正エレメントは、非球面表面を包含する、４３に記載の自動立体光学装置。
４５．前記左補正エレメントは、複合レンズを包含する、４３に記載の自動立体光学装置。
４６．前記左ビームスプリッタは、断面がくさび形状である、４２に記載の自動立体光学装置。
４７．前記左ビームスプリッタは、ペリクルである、４２に記載の自動立体光学装置。
４８．前記左イメージ・ソースは、ＣＲＴ、放射アレイ、ＬＣＤディスプレイ、およびＯＬＥＤからなるグループから採用される、４２に記載の自動立体光学装置。
４９．さらに、前記左ミラー曲率中心と前記左曲面ミラーの焦点の間に、前記左ミラー曲率中心を前記左イメージ曲率中心に向けてイメージングするための視野レンズを包含する、４２に記載の自動立体光学装置。
５０．前記視野レンズの表面は、前記左ミラー曲率中心と実質的に同心である、４９に記載の自動立体光学装置。
５１．前記視野レンズの表面は、前記左イメージ曲率中心と実質的に同心である、４９に記載の自動立体光学装置。
５２．さらに、光を前記左ミラー曲率中心に向けて指向するための前記左イメージ・ソースに隣接する焦点光学エレメントを包含する、４２に記載の自動立体光学装置。
５３．前記焦点光学エレメントは、フレネル・レンズ、ホログラフ光学エレメント、回折光学エレメント、およびレンズからなるグループから採用される、５２に記載の自動立体光学装置。
５４．前記左ボール・レンズ・セグメントは、反射表面を伴う半球レンズを包含する、４２に記載の自動立体光学装置。
５５．前記左ボール・レンズ・セグメントは、少なくとも１つのメニスカス・レンズ・セグメントを包含する、４５に記載の自動立体光学装置。
５６．左観察瞳において観察者によって観察される左イメージおよび右観察瞳において前記観察者によって観察される右イメージを包含する立体仮想イメージを観察する自動立体光学装置であって、
（ａ）左イメージ生成システムおよび右イメージ生成システムであって、各イメージ生成システムが、
（ｉ）ミラー曲率中心を有するイメージ生成曲面ミラーと、
（ｉｉ）前記イメージ生成曲面ミラーの頂点と前記ミラー曲率中心の間に配置されるイメージ生成ビームスプリッタと、
（ｉｉｉ）前記イメージ生成曲面ミラーに向けてイメージ担持光を指向するイメージ・ソースと、
（ｉｖ）前記イメージ生成曲面ミラーが前記イメージ生成ビームスプリッタと協働することで形成される前記イメージ・ソースの中間イメージの近くに配置され、前記ミラー曲率中心を中間イメージのイメージ曲率中心に向けてイメージングする視野レンズと、
（ｖ）前記イメージ曲率中心周囲に中心決めされ、前記中間イメージから曲面イメージを形成するためのボール・レンズ・セグメントと、
を包含し、前記左イメージ生成が左曲面イメージを生成し、前記右イメージ生成が右イメージを生成するイメージ生成システムと、
（ｂ）左焦点表面を有し、かつ左瞳イメージング曲率中心を有する左瞳イメージング曲面ミラーであって、前記左イメージ生成システム用の前記ボール・レンズ・セグメントが、前記左瞳イメージング曲率中心周囲になるべく位置決めされる左瞳イメージング曲面ミラーと、
（ｃ）右焦点表面を有し、かつ右瞳イメージング曲率中心を有する右瞳イメージング曲面ミラーであって、前記右イメージ生成システム用の前記ボール・レンズ・セグメントが、前記右瞳イメージング曲率中心周囲になるべく位置決めされる右瞳イメージング曲面ミラーと、
（ｄ）前記左焦点表面と前記左瞳イメージング曲率中心の間かつ前記右焦点表面と前記右瞳イメージング曲率中心の間の光路に沿った位置に配置される第３のビームスプリッタと、
を包含し、
前記第３のビームスプリッタが前記左瞳イメージング曲面ミラーと協働して、前記左観察瞳に、
（ｉ）前記左イメージ生成システム用のボール・レンズ・セグメントの実イメージと、
（ｉｉ）前記左曲面イメージの仮想イメージと、
を形成し、
前記第３のビームスプリッタがさらに前記右瞳イメージング曲面ミラーと協働して、前記右観察瞳に、
（ｉ）前記右イメージ生成システム用のボール・レンズ・セグメントの実イメージと、
（ｉｉ）前記右曲面イメージの仮想イメージと、
を形成する自動立体光学装置。
５７．前記左または前記右イメージ生成システムの少なくとも一方は、さらに前記イメージ生成曲面ミラーの曲率中心の近傍に配置される補正エレメントを包含する、５６に記載の自動立体光学装置。
５８．前記補正エレメントは、非球面表面を包含する、５７に記載の自動立体光学装置。
５９．前記補正エレメントは、複合レンズを包含する、５７に記載の自動立体光学装置。
６０．前記イメージ生成ビームスプリッタは、断面がくさび形状である、５６に記載の自動立体光学装置。
６１．前記イメージ生成ビームスプリッタは、ペリクルである、５６に記載の自動立体光学装置。
６２．前記イメージ・ソースは、ＣＲＴ、放射アレイ、ＬＣＤディスプレイ、およびＯＬＥＤからなるグループから採用される、５６に記載の自動立体光学装置。
６３．前記視野レンズの表面は、前記ミラー曲率中心と実質的に同心である、５６に記載の自動立体光学装置。
６４．前記視野レンズの表面は、前記ミラー曲率中心と実質的に同心である、５６に記載の自動立体光学装置。
６５．さらに、光を前記ミラー曲率中心に向けて指向するための前記イメージ・ソースに隣接する焦点光学エレメントを包含する、５６に記載の自動立体光学装置。
６６．前記焦点光学エレメントは、フレネル・レンズ、ホログラフ光学エレメント、回折光学エレメント、およびレンズからなるグループから採用される、６５に記載の自動立体光学装置。
６７．前記ボール・レンズ・セグメントは、反射表面を伴う半球レンズを包含する、５６に記載の自動立体光学装置。
６８．前記ボール・レンズ・セグメントは、少なくとも１つのメニスカス・レンズ・セグメントを包含する、５６に記載の自動立体光学装置。
６９．左観察瞳において観察者によって観察される左イメージおよび右観察瞳において前記観察者によって観察される右イメージを包含する自動立体仮想イメージを形成する方法であって、
（ａ）左曲面中間イメージを形成するステップであって
（ｉ）左ミラー曲率中心を有する左曲面ミラーを提供するステップと、
（ｉｉ）前記左曲面ミラーの頂点と前記左ミラー曲率中心の間に左ビームスプリッタを配置するステップと、
（ｉｉｉ）左イメージ曲率中心を有する左中間イメージを、左イメージ・ソースからのイメージ担持光を前記左ビームスプリッタを介して前記左曲面ミラーに指向することによって形成するステップと、
（ｉｖ）前記左曲面中間イメージを、前記左イメージ・ソースの前記左中間イメージから、前記左イメージ曲率中心周囲に中心決めされる左ボール・レンズ・セグメントを介して形成するステップと、
を含むステップと、
（ｂ）右曲面中間イメージを形成するステップであって、
（ｉ）右ミラー曲率中心を有する右曲面ミラーを提供するステップと、
（ｉｉ）前記右曲面ミラーの頂点と前記右ミラー曲率中心の間に右ビームスプリッタを配置するステップと、
（ｉｉｉ）右イメージ曲率中心を有する右中間イメージを、右イメージ・ソースからのイメージ担持光を前記右ビームスプリッタを介して前記右曲面ミラーに指向することによって形成するステップと、
（ｉｖ）前記右曲面中間イメージを、前記右イメージ・ソースの前記右中間イメージから、前記右イメージ曲率中心周囲に中心決めされる右ボール・レンズ・セグメントを介して形成するステップと、
を含むステップと、
（ｃ）焦点表面を有し、かつ曲率中心を有するボール・レンズ・イメージング曲面ミラーを提供するとともに、前記曲率中心が前記左ボール・レンズ・セグメントと前記右ボール・レンズ・セグメントの間の実質的に光学的な中間に配置し、前記左イメージ生成システムからの前記左曲面中間イメージおよび前記右イメージ生成システムからの前記右曲面中間イメージを実質的に前記焦点表面上に位置させるステップと、
（ｄ）前記ボール・レンズ・イメージング曲面ミラーの前記焦点表面と前記曲率中心の間に第３のビームスプリッタ配置するステップと、
を含み、
前記ボール・レンズ・イメージング曲面ミラーおよび前記第３のビームスプリッタが協働して前記左観察瞳に、
（ｉ）前記左ボール・レンズ・セグメントの実イメージと、
（ｉｉ）前記左曲面中間イメージの仮想イメージと、
を形成し、
前記ボール・レンズ・イメージング曲面ミラーおよび前記第３のビームスプリッタがさらに協働して前記右観察瞳に、
（ｉ）前記右ボール・レンズ・セグメントの実イメージと、
（ｉｉ）前記右曲面中間イメージの仮想イメージと、
を形成する自動立体仮想イメージを形成するための方法。
７０．さらに、前記左曲面ミラーの曲率中心の近傍の光学補正エレメントを介して光を指向するステップを包含する、６９に記載の自動立体仮想イメージを形成するための方法。
７１．前記左中間イメージを形成するステップは、ＣＲＴを付勢するステップを包含する、６９に記載の自動立体仮想イメージを形成するための方法。
７２．前記左中間イメージを形成するステップは、放射アレイを付勢するステップを包含する、６９に記載の自動立体仮想イメージを形成するための方法。
７３．前記左中間イメージを形成するステップは、ＬＣＤを付勢するステップを包含する、６９に記載の自動立体仮想イメージを形成するための方法。
７４．前記左中間イメージを形成するステップは、ＯＬＥＤを付勢するステップを包含する、６９に記載の自動立体仮想イメージを形成するための方法。
７５．さらに、前記左ミラー曲率中心を、視野レンズを介して前記左イメージ曲率中心に向けてイメージングするステップを包含する、６９に記載の自動立体仮想イメージを形成するための方法。
７６．前記左中間イメージを形成するステップは、前記左イメージ・ソースからの前記イメージ担持光を、前記左ミラー曲率中心に向けて指向するステップを包含する、６９に記載の自動立体仮想イメージを形成するための方法。
７７．前記左曲面中間イメージ形成するステップは、反射表面を伴う半球レンズを使用するステップを包含する、６９に記載の自動立体仮想イメージを形成するための方法。
７８．左観察瞳において観察者によって観察される左イメージおよび右観察瞳において前記観察者によって観察される右イメージを包含する自動立体仮想イメージを形成するための方法であって、
（ａ）左曲面中間イメージを形成するステップであって、
（ｉ）左ミラー曲率中心を有する左曲面ミラーを提供するステップと、
（ｉｉ）前記左曲面ミラーの頂点と前記左ミラー曲率中心の間に左ビームスプリッタを配置するステップと、
（ｉｉｉ）左イメージ曲率中心を有する左中間イメージを、左イメージ・ソースからのイメージ担持光を前記左ビームスプリッタを介して前記左曲面ミラーに指向することによって形成するステップと、
（ｉｖ）前記左曲面中間イメージを、前記左イメージ・ソースの前記左中間イメージから、前記左イメージ曲率中心周囲に中心決めされる左ボール・レンズ・セグメントを介して形成するステップと、
を含み、左曲面中間イメージを形成するステップと、
（ｂ）右曲面中間イメージを形成するステップであって、
（ｉ）右ミラー曲率中心を有する右曲面ミラーを提供するステップと、
（ｉｉ）前記右曲面ミラーの頂点と前記右ミラー曲率中心の間に右ビームスプリッタを配置するステップと、
（ｉｉｉ）右イメージ曲率中心を有する右中間イメージを、右イメージ・ソースからのイメージ担持光を前記右ビームスプリッタを介して前記右曲面ミラーに指向することによって形成するステップと、
（ｉｖ）前記右曲面中間イメージを、前記右イメージ・ソースの前記右中間イメージから、前記右イメージ曲率中心周囲に中心決めされる右ボール・レンズ・セグメントを介して形成するステップと、
を含み、右曲面中間イメージを形成するステップと、
（ｃ）左焦点表面を有し、かつ左ボール・レンズ・イメージング曲率中心を有する左ボール・レンズ・イメージング曲面ミラーを提供するとともに、前記左イメージ生成システムからの前記左曲面中間イメージを実質的に前記左焦点表面上に位置させるステップと、
（ｄ）右焦点表面を有し、かつ右ボール・レンズ・イメージング曲率中心を有する右ボール・レンズ・イメージング曲面ミラーを提供するとともに、前記右イメージ生成システムからの前記右曲面中間イメージを実質的に前記右焦点表面上に位置させるステップと、
（ｅ）前記左焦点表面と前記左ボール・レンズ曲率中心の間および前記右焦点表面と前記右ボール・レンズ曲率中心の間の光路に沿った位置に第３のビームスプリッタを配置するステップと、
を含み、
前記第３のビームスプリッタが前記左ボール・レンズ・イメージング曲面ミラーと協働して、前記左観察瞳に、
（ｉ）前記左ボール・レンズ・セグメントの実イメージと、
（ｉｉ）前記左曲面中間イメージの仮想イメージと、
を形成し、
前記第３のビームスプリッタがさらに前記右ボール・レンズ・イメージング曲面ミラーと協働して、前記右観察瞳に、
（ｉ）前記右ボール・レンズ・セグメントの実イメージと、
（ｉｉ）前記右曲面中間イメージの仮想イメージと、
を形成する自動立体仮想イメージを形成するための方法。
７９．  
さらに、前記左曲面ミラーの曲率中心の近傍の光学補正エレメントを介して光を指向するステップを包含する、７８に記載の自動立体仮想イメージを形成するための方法。
８０．前記左中間イメージを形成するステップは、ＣＲＴを付勢するステップを包含する、７８に記載の自動立体仮想イメージを形成するための方法。
８１．前記左中間イメージを形成するステップは、放射アレイを付勢するステップを包含する、７８に記載の自動立体仮想イメージを形成するための方法。
８２．前記左中間イメージを形成するステップは、ＬＣＤを付勢するステップを包含する、７８に記載の自動立体仮想イメージを形成するための方法。
８３．前記左中間イメージを形成するステップは、ＯＬＥＤを付勢するステップを包含する、７８に記載の自動立体仮想イメージを形成するための方法。
８４．さらに、前記左ミラー曲率中心を、視野レンズを介して前記左イメージ曲率中心に向けてイメージングするステップを包含する、７８に記載の自動立体仮想イメージを形成するための方法。
８５．前記左中間イメージを形成するステップは、前記左イメージ・ソースからの前記イメージ担持光を、前記左ミラー曲率中心に向けて指向するステップを包含する、７８に記載の自動立体仮想イメージを形成するための方法。
８６．前記左曲面中間イメージ形成するステップは、反射表面を伴う半球レンズを使用するステップを包含する、７８に記載の自動立体仮想イメージを形成するための方法。
８７．左観察瞳において観察者によって観察される左イメージおよび右観察瞳において前記観察者によって観察される右イメージを包含する立体仮想イメージを観察する自動立体光学装置であって、
（ａ）左曲面中間イメージを形成する左瞳イメージング・システムであって、
（ｉ）左ミラー曲率中心および左焦点表面を有する左曲面ミラーと、
（ｉｉ）左曲面イメージを前記左焦点表面に向けて投影するための左イメージ生成システムであって、当該左イメージ生成システムの射出瞳が前記左曲面イメージの曲率中心に実質的に一致し、実質的に左ミラー曲率中心にある左イメージ生成システムと、
を包含する左瞳イメージング・システムと、
（ｂ）右曲面中間イメージを形成する右瞳イメージング・システムと、
（ｉ）右ミラー曲率中心および右焦点表面を有する右曲面ミラーと、
（ｉｉ）右曲面イメージを前記右焦点表面に向けて投影するための右イメージ生成システムであって、当該右イメージ生成システムの射出瞳が前記右曲面イメージの曲率中心に実質的に一致し、実質的に右ミラー曲率中心にある右イメージ生成システムと、
を包含する右瞳イメージング・システムと、
（ｃ）左および右のイメージ・パスを折り返すビームスプリッタであって、
（ｉ）左観察瞳において、前記左イメージ生成システムの瞳の実イメージおよび前記左曲面イメージの仮想イメージを形成し、
（ｉｉ）右観察瞳において、前記右イメージ生成システムの瞳の実イメージおよび前記右曲面イメージの仮想イメージを形成する
ために配置されたビームスプリッタと、
を包含する自動立体光学装置。
８８．前記左イメージ生成システムは、ＣＲＴ、放射アレイ、ＬＣＤディスプレイ、およびＯＬＥＤからなるグループから選択されたイメージ・ソースを包含する、８７に記載の自動立体光学装置。
８９．さらに、光を前記左イメージ生成システムの入射瞳に向けて指向するための前記イメージ・ソースに隣接する焦点光学エレメントを包含する、８８に記載の自動立体光学装置。
９０．前記焦点光学エレメントは、フレネル・レンズ、ホログラフ光学エレメント、回折光学エレメント、およびレンズからなるグループから採用される、８９に記載の自動立体光学装置。
９１．前記観察瞳は、サイズにおいて５ｍｍと６０ｍｍの間の範囲にある、８７に記載の自動立体光学装置。
９２．前記観察瞳は、５５ｍｍと７５ｍｍの間の範囲の眼間距離によって離隔される、８７に記載の自動立体光学装置。